(57)【要約】      （修正有）【課題】電気部品箱を扱い易い位置に設けることができ、かつ熱交換器から落ちる水が電気部品箱の内部に浸入してしまうこと防ぐことができる空気調和機の室内ユニットを提供する。【解決手段】空気調和機の室内ユニット１は、床Ｆに設置される筐体２と、筐体２の内部に配置される熱交換器１５と、熱交換器１５を通過する空気Ｋの流れを生じさせる送風部１８と、筐体２の前面の下部に開口され、外部から空気Ｋを吸い込む吸込口１１と、筐体２の前面の上部に開口され、空気Ｋを外部に吹き出す吹出口１３と、少なくとも送風部１８を制御する電気部品を含む制御部と、吸込口１１に面して配置され、制御部を収納する電気部品箱２０と、上方に熱交換器１５の少なくとも一部が配置され、電気部品箱２０の上面全体を覆う屋根部４６を備える。【選択図】図３
2018185122.tif 000002
【特許請求の範囲】
【請求項１】
床に設置される筐体と、
前記筐体の内部に配置される熱交換器と、
前記熱交換器を通過する空気の流れを生じさせる送風部と、
前記筐体の前面の下部に開口され、外部から空気を吸い込む吸込口と、
前記筐体の前面の上部に開口され、空気を外部に吹き出す吹出口と、
少なくとも前記送風部を制御する電気部品を含む制御部と、
前記吸込口に面して配置され、前記制御部を収納する電気部品箱と、
上方に前記熱交換器の少なくとも一部が配置され、前記電気部品箱の上面全体を覆う屋根部と、
を備える空気調和機の室内ユニット。
【請求項２】
前記電気部品箱の外面よりも外方に突出する庇部を備える請求項１に記載の空気調和機の室内ユニット。
【請求項３】
前記電気部品箱が前記筐体の内部空間の前部に設けられ、前記屋根部が前部から後部に向かって低くなるように傾斜される請求項１または請求項２に記載の空気調和機の室内ユニット。
【請求項４】
前記吸込口に設けられ、吸い込まれた空気を前記電気部品箱に向けて流す風向板を備える請求項１から請求項３のいずれか１項に記載の空気調和機の室内ユニット。
【請求項５】
前記制御部に取り付けられ、前記制御部の放熱を行うヒートシンクと、
前記電部品箱に開口され、前記ヒートシンクが外方に突出する開口部と、
を備える請求項１から請求項４のいずれか１項に記載の空気調和機の室内ユニット。
【請求項６】
前記電気部品箱が前記筐体の内部空間の前部に設けられ、前記電気部品箱の後面が下方を向くように傾斜される請求項１から請求項５のいずれか１項に記載の空気調和機の室内ユニット。
【請求項７】
前記電気部品箱よりも低い位置、かつ前記熱交換器の下方に配置され、前記熱交換器で空気から分離された水を受けるドレンパンを備える請求項１から請求項６のいずれか１項に記載の空気調和機の室内ユニット。
【発明の詳細な説明】
【技術分野】
【０００１】
本発明の実施形態は、空気調和機の室内ユニットに関する。
【背景技術】
【０００２】
従来、空気調和機の室内ユニットでは、ドレンパンの下方に電装品ボックスを設けることで、熱交換器から落ちる水が電装品ボックスに付着しないようにしている。
【先行技術文献】
【特許文献】
【０００３】
【特許文献１】特開２００６−２２０３２１号公報
【発明の概要】
【発明が解決しようとする課題】
【０００４】
従来の室内ユニットでは、ドレンパンよりも下方の低い位置に電装品ボックス（電気部品箱）が設けられるので、電装品ボックス内の電気部品を取り扱う際に、作業者が屈み込んで作業をしなければならず、その取扱作業が行い難い。そのため、電装品ボックスを扱い易い位置に設けたいという要望がある。しかしながら、電装品ボックスをドレンパンよりも高い位置に設けてしまうと、熱交換器から落ちる水が電装品ボックスに付着してしまい、その内部に水が浸入してしまうおそれがある。
【０００５】
本発明の実施形態は、このような事情を考慮してなされたもので、電気部品箱を扱い易い位置に設けることができ、かつ熱交換器から落ちる水が電気部品箱の内部に浸入してしまうこと防ぐことができる空気調和機の室内ユニットを提供することを目的とする。
【課題を解決するための手段】
【０００６】
本発明の実施形態に係る空気調和機の室内ユニットは、床に設置される筐体と、前記筐体の内部に配置される熱交換器と、前記熱交換器を通過する空気の流れを生じさせる送風部と、前記筐体の前面の下部に開口され、外部から空気を吸い込む吸込口と、前記筐体の前面の上部に開口され、空気を外部に吹き出す吹出口と、少なくとも前記送風部を制御する電気部品を含む制御部と、前記吸込口に面して配置され、前記制御部を収納する電気部品箱と、上方に前記熱交換器の少なくとも一部が配置され、前記電気部品箱の上面全体を覆う屋根部と、を備える。
【図面の簡単な説明】
【０００７】
【図１】空気調和機の室内ユニットを示す斜視図。
【図２】空気調和機の室内ユニットを示す正面図。
【図３】空気調和機の室内ユニットの側板を外した状態を示す側面図。
【図４】ドレンパンおよび電気部品箱を示す正面図。
【図５】ドレンパンを示す側面図。
【図６】ドレンパンを正面側から見た状態を示す斜視図。
【図７】電気部品箱を背面側から見た状態を示す斜視図。
【図８】風向板を正面側から見た状態を示す斜視図。
【図９】電気部品箱および風向板を示す底面図。
【発明を実施するための形態】
【０００８】
以下、本実施形態を添付図面に基づいて説明する。まず、本実施形態の空気調和機の室内ユニットについて図１から図９を用いて説明する。以下、図２および図４の紙面左側を空気調和機の室内ユニットの左側とし、図３および図５の紙面左側を空気調和機の室内ユニットの正面側（前方側）とし、図９の紙面上側を空気調和機の室内ユニットの正面側（前方側）として説明する。
【０００９】
図１の符号１は、空気調和機の室内ユニットである。なお、空気調和機は、室内に設けられる室内ユニット１と、室外に設けられる図示しない室外ユニットとで構成される。室内ユニット１と室外ユニットとが、冷媒を循環させる配管を介して接続されている。この室内ユニット１と室外ユニットとの間で冷媒を循環させることで冷凍サイクルが構成される。
【００１０】
図１は、室内ユニット１を正面側から見た状態を示す斜視図である。図１示すように、室内ユニット１は、床Ｆ（図２参照）に設置される床置き型となっている。この室内ユニット１は、床Ｆに設置される筐体２を備える。筐体２の下端には、室内ユニット１を床Ｆに固定するための固定金具３が設けられている。また、筐体２の後面は、壁Ｗ（図３参照）に近接した状態で配置される。
【００１１】
筐体２は、前面に設けられる前板４と、上面に設けられる上板５と、後面に設けられる後板６（図３参照）と、左面に設けられる左側板７（図２参照）と、右面に設けられる右側板８と、下面に設けられる下板９（図２参照）とで構成された箱状を成す。
【００１２】
筐体２の前板４には、使用者が操作を行う操作パネル１０が設けられる。使用者は、この操作パネル１０を操作することで、室内ユニット１の起動若しくは停止、または設定温度の変更などを行うことができる。
【００１３】
また、筐体２の前面の下部には、外部から空気Ｋを吸い込む吸込口１１が設けられる。この吸込口１１には、吸込口用ルーバ１２が取り付けられている。また、筐体２の前面の上部には、空気Ｋを外部に吹き出す吹出口１３が設けられる。この吹出口１３には、吹出口用ルーバ１４が取り付けられている。なお、吸込口用ルーバ１２および吹出口用ルーバ１４は、室内ユニット１の設置時またはメンテナンス時に、作業者が容易に取り外すことができる。
【００１４】
図２は、吸込口用ルーバ１２を取り外した状態の室内ユニット１を示す正面図である。また、図３は、右側板８を取り外した状態の室内ユニット１を示す側面図である。図２および図３に示すように、筐体２の内部において、上下方向のほぼ中央位置には、熱交換器１５が配置される。
【００１５】
熱交換器１５は、冷媒が通過する冷媒管１６と、冷媒管１６と連結され、正面視で鉛直方向に延びる複数枚のフィン１７とを備える。この熱交換器１５は、冷媒管１６と室外ユニットとの間で冷媒が循環され、通過する空気Ｋと冷媒との間で熱交換を行うことができる。この熱交換器１５は、冷房運転時は蒸発器として機能し、周囲の空気Ｋの温度を低下させる。また、熱交換器１５は、暖房運転時は凝縮器として機能し、周囲の空気Ｋの温度を上昇させる。
【００１６】
熱交換器１５の上方には、左右２つのシロッコファン１８と、モータ１９とが配置される。モータ１９は、両軸モータである。その左右の駆動軸にシロッコファン１８がそれぞれ接続される。シロッコファン１８は、それぞれファンケーシング６１に収容される。ファンケーシング６１は、左右両側面に空気吸込口６１ａが設けられ、上方に空気吹出口６１ｂが設けられる。モータ１９を駆動させることで、シロッコファン１８を駆動させることができる。これらシロッコファン１８、モータ１９およびファンケーシング６１で、熱交換器１５を下方から上方に向かって通過する空気Ｋの流れを生じさせる送風部が構成される。
【００１７】
ファンケーシング６１の空気吹出口６１ｂと筐体２の吹出口１３との間には、ファンケーシング６１の空気吹出口６１ｂから吹き出される空気Ｋの一部を吹出口１３の下側に案内する整流板６２が設けられる。これら整流板６２によって、吹出口１３から外部に吹き出される空気Ｋが上下方向で均等に整流される。
【００１８】
吸込口１１には、電気部品箱２０が設けられる。この電気部品箱２０には、モータ１９などの各種装置を制御する電気部品を含む制御部２１（図４参照）が収納される。この制御部２１は、電気部品を搭載した基板を有する。この制御部２１は、室内ユニット１の動作中に熱が生じる部分となっている。
【００１９】
吸込口１１は、熱交換器１５よりも低い位置で筐体２の前面に開口され、外部から筐体２の内部に空気Ｋを吸い込む部分である。また、吹出口１３は、熱交換器１５よりも高い位置で筐体２の前面に開口され、筐体２の内部の空気Ｋを外部に吹き出す部分である。
【００２０】
図４に示すように、熱交換器１５は、筐体２の一方の側板７から他方の側板８に渡って設けられ、その両端に熱交換器１５を通過せずに通り抜けようとする空気Ｋの流れを遮る遮風板を有する。なお、熱交換器１５が蒸発器として機能する冷房運転時には、熱交換器１５を通過する空気Ｋに含まれる水分が結露し、ドレン水として熱交換器１５に付着して滴り落ちる。この熱交換器１５の下方には、ドレン水を受けるドレンパン２２が配置される。ドレンパン２２は、筐体２の一方の側板７から他方の側板８まで架け渡され、所定の横幅Ｄ１を有する。
【００２１】
図６に示すように、ドレンパン２２は、底板２３と、底板２３の前辺から立設される前板２４と、底板２３の後辺から立設される後板２５と、底板２３の左辺から立設される左側板２６と、底板２３の右辺から立設される右側板２７とで構成され、その上面が開口される箱状を成す。なお、左側板２６および右側板２７のそれぞれには、ドレンパン２２を筐体２に取り付けるための取付片２８が設けられている。
【００２２】
図５に示すように、筐体２の後板６には、熱交換器１５の下部を支持する支持金具２９が固定されている。熱交換器１５の下部が、支持金具２９にネジを用いて取り付けられる。また、ドレンパン２２の取付片２８が、支持金具２９にネジを用いて取り付けられる。このように、熱交換器１５の下部が筐体２の後板６に近接し、かつドレンパン２２の後板２５が筐体２の後板６に近接している。
【００２３】
なお、ドレンパン２２は、ステンレス鋼で形成されている。また、ドレンパン２２の外外周面（底板２３の下面、前板２４の前面、後板２５の後面、左側板２６の左面、右側板２７の右面）には、全面に亘って断熱材３０が貼り付けられている。そのため、ドレンパン２２の外周面に結露が生じないようになっている。
【００２４】
ドレンパンの前板２４の中央部には、管接続部３１が設けられる。この管接続部３１には、管継手３２を介して排出管３３（図４参照）が接続される。排出管３３は、ドレンパン２２が受けたドレン水を外部に排出するための部材である。
【００２５】
図１および図３に示すように、筐体２の左側板７および右側板８の下部には、排出管３３を外部に導出するための導出孔部３４が開口される。室内ユニット１の設置時には、室内の状況に応じて、左側または右側のいずれか一方の導出孔部３４を用いて排出管３３を導出させる。本実施形態では、左側板７の導出孔部３４から排出管３３を外部に導出する態様を例示している。なお、この導出孔部３４を介して冷媒を循環させる配管を導出しても良い。
【００２６】
なお、管継手３２は、直角に屈曲するエルボ管となっている。また、排出管３３は、直線状を成す管となっている。ドレンパン２２の管接続部３１には、管継手３２が螺合される雄ネジ部３５（図６参照）が形成されている。管継手３２を管接続部３１に螺合させるときに、管継手３２の向きを左側または右側のいずれか一方に調整することができる。この管継手３２を介して排出管３３が接続されるので、排出管３３が延びる方向を左側または右側のいずれか一方にすることができる。
【００２７】
本実施形態では、ドレンパン２２の前方側に管接続部３１が設けられることで、室内ユニット１の設置時に管接続部３１と排出管３３を接続する作業を行い易くなる。つまり、排出管３３の取り回しがし易くなる。
【００２８】
排出管３３は、正面視で管接続部３１から離れるに連れて低くなるように傾斜される（図４参照）。ドレンパン２２の下方側に管接続部が設けられる場合よりも、ドレンパン２２の前方側に管接続部３１が設けられることで、排出管３３の頂上を高い位置に設けることができる。つまり、管接続部３１と導出孔部３４との高低差Ｈ（図５参照）を大きくすることができる。そのため、排出管３３の傾斜角度を大きくすることができ、ドレン水が流れ易くなる。
【００２９】
図６に示すように、ドレンパン２２の底板２３は、両側部から中央部に向かって低くなるように傾斜される。また、ドレンパン２２の底板２３は、後部から前部に向かって低くなるように傾斜される（図５参照）。このようにすれば、ドレンパン２２の底板２３から管接続部３１に向かってドレン水が流れるので、排出管３３からスムーズにドレン水を排出させることができる。ドレン水を溜めずに排出することができるので、ドレンパン２２の溢水を防ぐことができる。
【００３０】
ドレンパン２２は、１枚の板部材により形成される。底板２３は、中央部で屈曲される。なお、前板２４および後板２５には、その中央部に切り込み部が形成される。そして、これら切り込み部が溶接されことで、底板２３の中央部の屈曲状態が保持される。なお、ドレンパン２２の底板２３には、切り込み部および溶接部が設けられていない。そのため、底板２３の上面が平坦となり、この底板２３の上面をスムーズにドレン水が流れるようになる。
【００３１】
管接続部３１は、ドレンパン２２の前板２４よりも前方に突出し、中心軸が前後方向に延びる円筒状を成す。このようにすれば、排出管３３を管接続部３１に接続し易くなる。また、前後方向に延びる管接続部３１に対して管継手３２が接続されるので、排出管３３の重さを、管継手３２を介して管接続部３１により支持することができる。そのため、管接続部３１から排出管３３が外れ難くなる。
【００３２】
管接続部３１の外周は、ドレンパン２２の前板２４に開口した円形孔の周縁と溶接されている。さらに、管接続部３１の内周面の最も低い面（底面）と、ドレンパン２２の底板２３の上面とが平坦を成している。また、管接続部３１が後部から前部に向かって低くなるように傾斜される（図５参照）。このようにすれば、ドレンパン２２の底板２３の上面のドレン水が管接続部３１を伝って排出管３３にスムーズに流れるようになる。
【００３３】
図３および図５に示すように、熱交換器１５の前面は、その下部が上部よりも吸込口１１（前板４）から離れるように傾斜され、かつ熱交換器１５の下部が筐体２の後板６に近接している。また、筐体２の内部空間の前後幅Ｌ１よりも、ドレンパン２２の前後幅Ｌ２が狭く、かつドレンパン２２の後板２５が筐体２の後板６に近接している。このようにすれば、熱交換器１５の前面に付着した水が、その前面を伝わってドレンパン２２上に滴り落ちるようになる。また、筐体２の内部にドレンパン２２の前方側に排出管３３を配置するためのスペースを確保することができる。
【００３４】
なお、ドレンパン２２の前後幅Ｌ２は、筐体２の内部空間の前後幅Ｌ１の半分以下である。このようにすれば、ドレンパン２２の底板２３の面積を小さくすることができるので、ドレンパン２２上のドレン水が集約されて流れ易くなる。なお、ドレンパン２２の底板２３の面積が大きいと、ドレン水が広がってしまい、その表面張力により底板２３に張り付いて流れ難くなるが、ドレンパン２２の底板２３の面積を小さくすることで、ドレン水が流れ易くなる。
【００３５】
図４に示すように、吸込口１１は、ドレンパン２２よりも低い位置から高い位置に亘って筐体２の前面に開口される。このようにすれば、吸込口１１からドレンパン２２にアクセスし易くなる。そのため、室内ユニット１の設置時に管接続部３１と排出管３３を接続する作業を行い易くなる。また、吸込口１１の開口面積を大きくすることができる。
【００３６】
また、電気部品箱２０は、ドレンパン２２よりも高い位置、かつ筐体２の両側板７，８のいずれか一方に近接して配置される。本実施形態では、電気部品箱２０が筐体２の左側板７に近接して配置される。このようにすれば、ドレンパン２２の中央部で管接続部３１と排出管３３を接続する作業を作業者が行う際に、電気部品箱２０が邪魔にならずに済む。なお、電気部品箱２０の横幅Ｄ２は、筐体２の内部空間の横幅（ドレンパン２２の横幅Ｄ１とほぼ同一の幅）の半分未満である。そのため、吸込口１１の中央部を空けることができる。
【００３７】
図２に示すように、吸込口１１は、電気部品箱２０よりも低い位置から高い位置に亘って筐体２の前面に開口される。このようにすれば、吸込口用ルーバ１２を取り外すことで、吸込口１１から電気部品箱２０にアクセスし易くなり、電気部品箱２０を扱い易くなる。
【００３８】
また、電気部品箱２０は、吸込口１１から吸い込まれる空気Ｋにより電気部品箱２０の内部の制御部２１を冷却することができる。つまり、制御部２１の温度上昇を防止することができる。
【００３９】
なお、電気部品箱２０の前面を覆う前板３６（図２参照）は、作業者が容易に取り外すことができる（図４参照）。なお、電気部品箱２０の前板３６は、電気部品箱２０の箱本体３７に設けられた雌ネジ部３８（図７参照）にネジを用いて取り付けられる。
【００４０】
図３に示すように、電気部品箱２０は、熱交換器１５の下方に配置される。熱交換器１５の前面が、その下部が上部よりも吸込口１１から離れるように傾斜されることで、筐体２の内部空間の前部に、電気部品箱２０が配置されるスペースが確保される。
【００４１】
なお、ドレンパン２２は、電気部品箱２０よりも低い位置、かつ熱交換器１５の下方に配置される。このようにすれば、電気部品箱２０がドレンパン２２よりも高い位置に設けられるので、作業者が腰を大きく曲げて屈み込まなくても、電気部品箱２０にアクセスすることができ、電気部品箱２０の内部の制御部２１を取り扱い易くなる。
【００４２】
図４に示すように、吸込口１１は、上枠部３９と側枠部４０，４１と下枠部４２とで囲まれた部分である。電気部品箱２０は、上枠部３９に取り付けられる上取付部４３と、左側の側枠部４０に取り付けられる左取付部４４とを備える。これら上取付部４３と側枠部４０とに設けられた孔部４５（図７参照）に挿通されるネジが、上取付部４３と左側の側枠部４０の雌ネジ部に螺合されることにより、電気部品箱２０が筐体２に固定される。
【００４３】
図７に示すように、電気部品箱２０の箱本体３７は、上部から下部に向かって前後幅が狭くなっている。そのため、電気部品箱２０が筐体２に取り付けられた状態では、電気部品箱２０の前面が垂直を成し、電気部品箱２０の箱本体３７の後面が下方（斜め後下方）を向くように傾斜される。
【００４４】
また、電気部品箱２０の上面全体を覆う屋根部４６が設けられる。この屋根部４６が設けられることで、熱交換器１５から水が落ちてきた場合であっても、電気部品箱２０の内部に浸入してしまうこと防ぐことができる。また、屋根部４６が設けられることで、熱交換器１５の下方の位置あっても、落ちてくる水を避ける必要がなく、電気部品箱２０を扱い易い位置に設けることができる。
【００４５】
また、屋根部４６は、１枚の板状部材で構成される。この屋根部４６は、前部から後部に向かって低くなるように傾斜される（図３参照）。このようにすれば、熱交換器１５から落ちる水が屋根部４６に当たったときに、周囲に飛散させずに電気部品箱２０の後方に流すことができる。
【００４６】
電気部品箱２０は、箱本体３７の後面（外面）よりも後方（外方）に突出する庇部４７を備える。なお、屋根部４６の後端縁（一部）が箱本体３７の後面よりも外方に向かって延びることで庇部４７が形成される。このようにすれば、電気部品箱２０の上方から落ちる水が箱本体３７の後面に付着することを防止することができる。さらに、電気部品箱２０の後面が下方を向くように傾斜されることで、屋根部４６の後縁辺の庇部４７から落ちる水が箱本体３７の後面に付着することを防止することができる。
【００４７】
図７および図９に示すように、電気部品箱２０の箱本体３７において、上面以外の部分、例えば、側面および底面には、制御部２１に接続される配線が挿通可能な配線孔４８が設けられる。この配線孔４８には、水の浸入を防止するゴム製のカバーが設けられる。また、制御部２１から延びる温度センサ４９が箱本体３７の側面から側方に突出される。さらに、所定の配線を保持する保持部材５０が箱本体３７の後面に設けられている。
【００４８】
また、制御部２１に設けられた複数の電気部品のうち、所定の電気部品が熱を発する。例えば、ＩＰＭ（インテリジェントパワーモジュール）などが熱を発する電気部品となっている。このような電気部品には、放熱を行うヒートシンク５１が取り付けられる。このヒートシンク５１は、制御部２１から後方に突出している。
【００４９】
電気部品箱２０の箱本体３７の後面には、ヒートシンク５１を外方に突出させる開口部５２が設けられる。このようにすれば、電気部品箱２０の周囲を流れる空気Ｋによりヒートシンク５１の放熱を促進させることができる。なお、箱本体３７の後面から突出されるヒートシンク５１の突出長は、庇部４７の突出長よりも短くなっている（図３参照）。そのため、ヒートシンク５１に庇部４７から落ちる水が当たらないようになっている。
【００５０】
図４に示すように、吸込口１１には、吸い込まれた空気Ｋを電気部品箱２０に向けて流す風向板５３が設けられる。本実施形態では、吸込口１１のほぼ中央部、かつ電気部品箱２０の右側近傍に風向板５３が設けられている。この風向板５３は、吸込口１１の上枠部３９に取り付けられる。風向板５３は、上枠部３９から下方に向かって延びる板部材である。
【００５１】
図８に示すように、風向板５３は、１枚の板部材を屈曲して形成される。この風向板５３は、風を受ける四角形状を成す風受部５４と、三角形状を成す角度形成部５５と、取付片５６とを備える。なお、取付片５６には、複数のネジ挿通孔５７が設けられる。このネジ挿通孔５７に挿通されたネジにより、風向板５３が上枠部３９に取り付けられる。また、風向板５３を製造する際に、角度形成部５５の三角形状の頂点の角度を適宜調整することにより、風受部５４の向きが設定される。
【００５２】
図９に示すように、底面視において風向板５３の風受部５４が、その右端よりも左端が後方になるように傾斜されている。つまり、風向板５３に当たった空気Ｋが電気部品箱２０に向かって流れるようになっている。このようにすれば、吸込口１１から吸い込まれた空気Ｋが風向板５３によって電気部品箱２０に当たるようになるので、電気部品箱２０の内部の制御部２１を冷却することができる。
【００５３】
特に、風向板５３によって整流された空気Ｋは、電気部品箱２０の後面に沿って流れる。なお、電気部品箱２０の後面のヒートシンク５１は、風向板５３に近接する位置（右側）に設けられているので、ヒートシンク５１の放熱が促進される。
【００５４】
以上説明した実施形態によれば、ドレンパンの前板の中央部に設けられ、排出管が接続される管接続部を備えることにより、室内ユニットの設置時に管接続部と排出管を接続する作業を行い易く、かつ管接続部から排出管を外れ難くすることができる。
【００５５】
また、電気部品箱の上面全体を覆う屋根部を備えることにより、電気部品箱を扱い易い位置に設けることができ、かつ熱交換器から落ちる水が電気部品箱の内部に浸入してしまうこと防ぐことができる。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００５７】
１…室内ユニット、２…筐体、３…固定金具、４…前板、５…上板、６…後板、７…左側板、８…右側板、９…下板、１０…操作パネル、１１…吸込口、１２…吸込口用ルーバ、１３…吹出口、１４…吹出口用ルーバ、１５…熱交換器、１６…冷媒管、１７…フィン、１８…シロッコファン（送風部）、１９…モータ（送風部）、２０…電気部品箱、２１…制御部、２２…ドレンパン、２３…底板、２４…前板、２５…後板、２６…左側板、２７…右側板、２８…取付片、２９…支持金具、３０…断熱材、３１…管接続部、３２…管継手、３３…排出管、３４…導出孔部、３５…ネジ部、３６…前板、３７…箱本体、３８…雌ネジ部、３９…上枠部、４０，４１…側枠部、４２…下枠部、４３…上取付部、４４…左取付部、４５…孔部、４６…屋根部、４７…庇部、４８…配線孔、４９…温度センサ、５０…保持部材、５１…ヒートシンク、５２…開口部、５３…風向板、５４…風受部、５５…角度形成部、５６…取付片、５７…ネジ挿通孔、６１…ファンケーシング、６１ａ…空気吸込口、６１ｂ…空気吹出口、６２…整流板、Ｄ１…ドレンパンの横幅、Ｄ２…電気部品箱の横幅、Ｆ…床、Ｈ…管接続部と導出孔部との高低差、Ｋ…空気、Ｌ１…筐体の内部空間の前後幅、Ｌ２…ドレンパンの前後幅、Ｗ…壁。
【図１】
2018185122.tif 000003
【図２】
2018185122.tif 000004
【図３】
2018185122.tif 000005
【図４】
2018185122.tif 000006
【図５】
2018185122.tif 000007
【図６】
2018185122.tif 000008
【図７】
2018185122.tif 000009
【図８】
2018185122.tif 000010
【図９】
2018185122.tif 000011